(57)【要約】【課題】  多周波の容量検出を伴うマルチタッチのタッチセンサー式装置を提供する。【解決手段】  本発明の全般的分野は、複数の導電性の行（１１）と導電性の列（１２）を含む、マトリックス形のタッチパッド（１０）を備えた、投影型容量検出を用いるタッチスクリーン装置（１）であり、前記パッドは制御手段（２０）と、受電及び電子的解析手段（５０）とに接続される。本発明による電子制御手段は、各導電性の行と列に対して、第一の動作周波数において放出される第一の周期的放出電圧と、第一の周波数とは異なる第二の識別周波数において放出される、第二の周期的放出電圧とを発生させる。受電及び電子的解析手段は、各行と各列に対して、動作周波数における第一の受電電圧のインピーダンスと、識別周波数における第二の受電電圧のインピーダンスとを決定するように構成される。所定の値に応じて、２つのインピーダンスの値はタッチパッド上のタッチと、関係する行及び列の上での、その位置とを表わす。【選択図】      図５
2013004102.tif 000002
【特許請求の範囲】
【請求項１】
複数の導電性の行（１１）と導電性の列（１２）を含む、マトリックス形のタッチパッド（１０）を備えた、投影型容量検出を用いるタッチスクリーン装置（１）であって、前記パッドが：
各導電性の行と列に対して放出電圧（ＶＩＮ）を発生させる電子制御手段（２０）と、
各導電性の行と列からの受電電圧（ＶＯＵＴ）を受け取り、電子的に解析する手段（５０）とに接続され、
―前記電子制御手段が、各導電性の行と列に対して、動作周波数と称される第一の周波数において放出される第一の周期的放出電圧と、前記第一の周波数とは異なる、識別周波数と称される第二の周波数において放出される第二の周期的放出電圧とを発生させ、
―前記受電及び電子的解析手段（５０）が各行と各列に対して：
○前記動作周波数における第一の受電電圧の値、及び前記識別周波数における第二の受電電圧の値と、
○所定の値に応じて、前記２つの受電電圧の値が前記タッチパッド上のタッチ、及び関係する行及び列の上での、このタッチの位置を表わすかどうか
を決定するように構成されることを特徴とする、タッチスクリーン装置。
【請求項２】
前記動作周波数の値が、この動作周波数において前記受電電圧のインピーダンスの抵抗部分の、非常に小さい変化を生じさせるために十分低く、そして前記識別周波数の値が、この識別周波数において前記受電電圧の前記インピーダンスの抵抗部分の、著しい変化を生じさせるために十分高いことを特徴とする、請求項１に記載のタッチスクリーン装置。
【請求項３】
前記受電電圧を受け取り電子的に解析する前記手段が２つの同期復調器（５３）を備え、第一の復調器が前記動作周波数で動作し、第二の復調器が前記識別周波数で動作することを特徴とする、請求項１または２に記載のタッチスクリーン装置。
【請求項４】
前記受電及び電子的解析手段が：
―何のタッチもないときの、各行と各列の前記動作周波数における前記受電電圧の格納値の表と、
―測定された偏差が、関係する行又は列の上でのタッチを表わすかどうかを決定するように、前記受電電圧の測定値と前記受電電圧の前記格納値との間の偏差を、各行と各列に対して確立する比較手段と
を含むことを特徴とする、請求項１〜３のいずれか一項に記載のタッチスクリーン装置。
【請求項５】
前記動作周波数が１００ｋＨｚ〜５００ｋＨｚの間であり、そして前記識別周波数が５００ｋＨｚ〜５ＭＨｚの間であることを特徴とする、請求項１〜４のいずれか一項に記載のタッチスクリーン装置。
【発明の詳細な説明】
【技術分野】
【０００１】
本発明の分野は、容量検出を伴うタッチセンサー式表面又は「タッチスクリーン」に関し、とりわけ、２つ同時のタッチの検出を可能にする、いわゆる「マルチタッチ」のタッチセンサー式表面に関する。この機能は、例えば画像の「拡大表示」又は回転を作り出すために必須である。本発明は様々な用途に適用され得るが、特に航空分野及び航空機の計器パネルの制約に良く適している。
【背景技術】
【０００２】
いわゆる「投影型」容量検出は、ユーザーの指の近傍又は他のあらゆる導電性の指示物体によって導入される、静電容量の局部的変化を検出するように構成された、検出マトリックスを作ることにある。いわゆる投影型容量性技術は：
―マトリックスのキー配列の行と、次に列を読むことにある「自己容量」検出と、
―マトリックスのキー配列の各交点を読むことにある、いわゆる「相互容量」検出とである、２つの主な異なったものを有する。
【０００３】
「相互容量」技術は、パッド全体を読むことを必要とする。従ってマトリックスがＮ行とＭ列を有する場合、Ｎ×Ｍの捕捉が行なわれねばならず、それは高解像度及び短い応答時間を伴う、大寸法のパッドの製作を問題のあるものにする。さらに、「相互容量」モードにおいて測定されるべき静電容量は、「自己容量」モードにおいて得られるものよりも小さく、それはユーザーによる（データ）グローブの使用を問題のあるものにする。
【０００４】
「自己容量」検出の利点は、上記パッドに対して、マトリックスの読み取りを実行するために、システムがＮ＋Ｍの捕捉しか必要としないことである。「自己容量」技術の主な欠点は、実在しないタッチ又は「ゴースト」（“ｇｈｏｓｔｓ”）の問題を解決するための、単純な解決策が何もないことである。図１はこの問題を例証している。それは導電性の行と列のマトリックスＭＬＣの部分的視図を表わす。この図及びそれに続く複数の図において、複数のタッチは２つの指により表わされている。２つの同時のタッチが（ＸＩ，ＹＩ）及び（ＸＪ，ＹＪ）において生じるとき、システムは作用を受けた２つの列（ＸＩ，ＸＪ）及び２つの行（ＹＩ，ＹＪ）を検出する。これらの２行及びこれらの２列は、本当のタッチに対応するが、また（ＸＩ，ＹＪ）及び（ＸＪ，ＹＩ）に位置する実在しないタッチＧにも対応し、システムはどちらが正しいタッチかを先験的に決定出来ない。
【０００５】
このゴーストの問題を解決するため、対策が既に開発されている。第一の解決策は、パッドの捕捉速度が非常に速い場合に、同時のタッチの発生確率が低いことに基づき、時間的識別を実行することにある。しかしながら、例えばタッチセンサー式表面の上で画像回転を行なう２つの指のアプローチに相当する、完全に同時のタッチは処理されない。用語「マルチタッチ」装置は、従って真に適用されることは出来ない。
【０００６】
米国特許出願公開第２０１０／０１７７０５９号明細書は、タッチの近傍における行／列の結合静電容量を測定することにより、疑いを取り除く方法を提案している。この結合はゴーストの場合には存在しないため、そのとき本当のタッチの位置を決定することは容易である。しかしながら、そのような測定は上記に挙げた場合において各々の行／列の対に対して７個という、多数のアナログスイッチを必要とする。かなりの余分な費用に加えて、スイッチの追加は、それらが行あるいは列にわたって切り替えるとき、アースと比較して結合静電容量を増加させる。実際、それらはあたかも多数の指がパッド上に置かれたかのように動作する。
【０００７】
一例として、１つの指が１ｐＦのオーダーの静電容量を持つ一方で、ＪＦＥＴ（Ｊｕｎｃｔｉｏｎ  Ｆｉｅｌｄ  Ｅｆｆｅｃｔ  Ｔｒａｎｓｉｓｔｏｒ）［接合型電界効果トランジスタ］技術における優れたスイッチは、１０ｐＦの結合静電容量を持つ。４つのスイッチが使用される場合、１つのスイッチで１０ｐＦの代わりに、４０ｐＦの値に対して１ｐＦの変化が測定される必要がある。この結果は比率４の感度ロスである。ユーザーが（データ）グローブを着用しているか、又は電磁ノイズの存在下で信号対雑音比（ＳＮ比）が低下するとき、この感度ロスは問題である。
【０００８】
静電容量の測定は別の問題を提起する。静電容量を測定するには主として３つの方法がある。
【０００９】
最も古いものは容量分圧器ブリッジであり、その１つのアームは基準静電容量から成り、その他の静電容量が測定される。第二の方法は、その周波数が測定されるべき静電容量の値に依存する、緩和発振器を用いる。これら２つの方法は、特に航空機上では日常的な無線周波数妨害の場合に、読取りノイズに対して敏感であることが知られている。
【００１０】
タッチパネルに対する容量性保護のために、消費財製品において近頃最も広く使われている第三の方法は、電荷移動による測定である。良好なＳＮ比を与える、様々な変形が存在する。この方法は、測定されるべき静電容量が基準値まで充電されるまで、矩形パルスのインパルスもしくは「バースト」により、前者に給電することにある。基準電荷を得るために必要なパルス数は、測定されるべき静電容量を表わす。
【００１１】
しかしながら、この測定は電荷の移動及びバーストの発生に必要な複数のスイッチを要する。これらのスイッチの標遊容量は、信号のダイナミックレンジを制限し、ＳＮ比を低下させる。
【００１２】
この方法に伴う別の欠点は、バーストの周波数におおよそ等しい周波数において放出される電磁妨害に対する堅牢性の弱さである。実際、複数の行と列はそのときアンテナとして挙動し、電磁波を拾う。それらは測定バーストに加えて標遊電流を誘発し、誤った測定値を生じさせるであろう。
【００１３】
最後に、容量測定法は測定を実施するために比較的高い周波数の交番信号を用いる。航空機のコックピットのような一定の環境において、装置の電磁放射のレベルは、センサー又はアンテナのような一定の感度の高い機器を妨害しないように、かなり低くなければならない。電荷移動測定法は矩形波を使用する。これらの信号は、広い周波数帯域にわたって、基準により許容されるしきい値よりも遥かに大きな障害を作り出す、高調波を発生させる。
【００１４】
結論として、投影型容量性タッチスクリーンは現在、航空機のコックピット内又はあらゆる決定的に重要な環境において、それらを用いることを困難にする多くの欠点を有する。実際に、既に見られたように、タッチの検出は実在しないタッチ又は外部の電磁妨害により偽られ得る。さらに、その測定原理は電磁環境を中断し得る。
【先行技術文献】
【特許文献】
【００１５】
【特許文献１】米国特許出願公開第２０１０／０１７７０５９号明細書
【発明の概要】
【発明が解決しようとする課題】
【００１６】
本発明によるタッチセンサー式装置は、これらの欠点を持たない。その物理的原理は、２つの異なる周波数における放出電圧の使用に依存する。複数の行と列における出力信号は、周波数に応じて、１つの行と列におけるタッチの存在だけでなく、その行と列の位置も表わす、異なるインピーダンスを有することが実証されている。
【００１７】
この装置はゴーストのない「デュアルタッチ」式であり、それは読取りノイズ及び外部の電磁妨害に対して鈍感であり、最後に、それは航空分野において規定されているような電磁放射規格に適合する。さらに、ユーザーはこのタッチセンサー式表面を、（データ）グローブを着用した手を用いて、同じ性能レベルで使用できる。
【課題を解決するための手段】
【００１８】
より具体的には、本発明の主題は、複数の導電性の行と導電性の列を含む、マトリックス形のタッチパッドを備えた、投影型容量検出を用いるタッチスクリーン装置であり、前記パッドが：
各導電性の行と列に対して放出電圧を発生させる電子制御手段と、
各導電性の行と列からの受電電圧を受け取り、電子的に解析する手段とに接続され、
―電子制御手段が、各導電性の行と列に対して、動作周波数と称される第一の周波数において放出される第一の周期的放出電圧と、第一の周波数とは異なる、識別周波数と称される第二の周波数において放出される第二の周期的放出電圧とを発生させ、
―受電及び電子的解析手段が各行と各列に対して：
○動作周波数における第一の受電電圧の値、及び識別周波数における第二の受電電圧の値と、
○所定の値に応じて、２つの受電電圧の値がタッチパッド上のタッチ、及び関係する行及び列の上での、このタッチの位置を表わすかどうか
を決定するように構成されることを特徴とする。
【００１９】
有利なことに、動作周波数の値は、この動作周波数において受電電圧のインピーダンスの抵抗部分の、非常に小さい変化を生じさせるために十分低く、そして識別周波数の値は、この識別周波数において受電電圧のインピーダンスの抵抗部分の、著しい変化を生じさせるために十分高い。
【００２０】
有利なことに、受電電圧を受け取り電子的に解析する手段は２つの同期復調器を備え、第一の復調器は動作周波数で動作し、第二の復調器は識別周波数で動作する。
【００２１】
有利なことに、受電及び電子的解析手段は：
―何のタッチもないときの、各行と各列の動作周波数における受電電圧の格納値の表と、
―測定された偏差が、関係する行又は列の上でのタッチを表わすかどうかを決定するように、受電電圧の測定値と受電電圧の格納値との間の偏差を、各行と各列に対して確立する比較手段と
を含む。
【００２２】
動作周波数は１００ｋＨｚ〜５００ｋＨｚの間であり、そして識別周波数は５００ｋＨｚ〜５ＭＨｚの間であることが望ましい。
【００２３】
本発明は制限されない例として与えられている以下の記述を読むことにより、そして添付図のおかげでより良く理解され、その他の利点が明らかになるであろう。
【図面の簡単な説明】
【００２４】
【図１】既にコメントされているが、先行技術による投影型容量性タッチセンサー式装置における、実在しないタッチの問題を表わす。
【図２】タッチパッドの行と列の間の交点周囲の、静電容量と電気抵抗の電気回路図を表わす。
【図３】本発明による装置における、適用される周波数に応じた、３つの異なるタッチ位置に対する１つの行又は１つの列の出力信号の変化を表わす。
【図４】本発明による装置における、タッチの位置に応じた１つの行又は１つの列の出力信号の変化を、２つの異なる周波数に対して表わす。
【図５】本発明による、投影型容量性タッチセンサー式装置のブロック線図を表わす。
【発明を実施するための形態】
【００２５】
導電性の行と列から成る電極のマトリックスを含む、容量性タッチセンサー式装置を電気的に説明している、単純化されたモデルが存在する。それは、オペレータの指の表面をパッド上に投影することにより、当該オペレータの指がマトリックスと容量的に結合されたタッチの表現から成る。この表面は第一番目が行、第二番目が列における少なくとも２つの電極をカバーする。オペレータはそのときアースと、少なくとも関係する行又は列との間に、静電容量Ｃｄを加えると考えられる。しかしながら、このモデルは局部的に留まり、測定の環境を考慮に入れていない。
【００２６】
図２は、容量性マトリックス装置のより洗練されたモデルを表わす。各行は実際にアナログスイッチを通じて、測定装置及び／又は電源装置に接続されている。これらのスイッチはアースに比べて結合静電容量Ｃｍを加え、測定された信号の減衰を引き起こす電気抵抗Ｒｍを示す。
【００２７】
さらに、各行は給電点と指の接触点との間に一定の抵抗を有する、ＩＴＯ（Ｉｎｄｉｕｍ  Ｔｉｎ  Ｏｘｉｄｅ）［インジウムスズ酸化物］タイプの透明な材料から成るため、この抵抗は指が接続点から遠くなる程大きくなる。Ｒｔがタッチ及び次へのその接続の抵抗であるとき、列ｎ上のタッチとマトリックスの縁との間の抵抗はｎ．Ｒｔである。
【００２８】
また、行と列の配列は相互に結合されている。実際に、各トラックの交点において静電容量Ｃｐが存在し、各行はｎ列により横切られ、また、行又は列はそれらの近隣と結合されている。この結合は静電容量ＣｌＣにより図２において表わされている。
【００２９】
最後に、タッチパッドとの間にはまた結合静電容量が存在し、その接続及び機械部分は装置と、同様に行と列を電子測定装置につないでいる様々なトラック同士の間の相互結合とを形成する。
【００３０】
その結果、容量性のタッチパッドの捕捉は、オペレータによって投影される単純な静電容量の捕捉へと縮小されることは出来ない。それは、共に相互接続された抵抗と静電容量の組合せから成る、複雑な多極の構成部品上への、この投影の結果である。
【００３１】
本発明による装置は、この複雑さを利用する。図２に見られるように、マトリックスの近傍に何の物体もないとき、各行Ｌｉは、注入静電容量Ｃｉを経由する交流電圧電源と、アースに対する標遊結合静電容量Ｃｍ及び入力抵抗Ｒｍから成る入力インピーダンスを持つ、読取りバッファとに接続されている。この行Ｌｉは単位長さあたりの抵抗を有し、各列の交点において容量結合されている。
【００３２】
指が行Ｌｉの正確な点の上に置かれるとき、それは静電容量を関係する行の部分へ投影する。先行技術によるタッチセンサー式装置は、この投影された静電容量のみを測定する。この単純な測定は行の上のタッチ位置について、何の知識も提供せず、この情報は投影された静電容量の値によって届けられない。
【００３３】
本発明の核心は、加えられた静電容量を単に考慮するのではなく、行全体によって形成される複合モデルに対するその影響も考慮する。特に、長さｌの行Ｌｉの抵抗Ｒｉｌを考える場合、その行の一端と接触点との間には抵抗Ｒｉａが存在する。抵抗Ｒｉａは抵抗Ｒｉｌよりも小さい。この抵抗値は出力信号ＶＯＵＴを変更する。この信号ＶＯＵＴは：
ＶＯＵＴ＝Ｚ．ＶＩＮの値を持つ。ここで、ＶＩＮは周波数Ｆの周期的入力信号であり、そしてＺは：
Ｚ＝Ａ＋Ｂｊの値を持つ行のインピーダンスである。項Ａ及びＢは、静電容量Ｃｍ、Ｃｉ及びＣｄと、抵抗Ｒｍ及びＲｉａの関数である。
【００３４】
本モデルのトポロジーは、静電容量Ｃｄと関連する抵抗Ｒｉａが一次の低域フィルターを構成する、ＲＣネットワークに一次的に類似し得る。図３は適用された周波数に応じた、３つの異なるタッチ位置に対する１つの行の出力信号の変化を表わし、タッチに対する第一の曲線Ｃ１は行の縁に位置し、第二の曲線Ｃ２は行の中央に位置し、第三の曲線Ｃ３は行の端に位置する。図３の尺度は両方の軸に対して対数である。そのとき、図３に見られるように、タッチの位置にかかわらずＲｉａの変化がＶＯＵＴの最小変化を引き起こすように、周波数ＦＭＩＮが存在する。逆に、タッチの位置に応じてＲｉａの変化がＶＯＵＴの大きな減衰を引き起こすように、周波数ＦＭＡＸが存在する。従って、この周波数ＦＭＡＸにおいて、この減衰を測定することにより、抵抗Ｒｉａの値を知ることが容易であり、その結果として、その行の接触点の位置を決定することが容易である。
【００３５】
図４はタッチの位置に応じた、導電性の列に沿う周波数ＦＭＩＮ及びＦＭＡＸに対する出力信号ＶＯＵＴの変化を表わす。この図４は２つのグラフを含む。上のグラフは行の始めにおける変化を表わす。下のグラフは行の終わりにおける出力信号ＶＯＵＴの変化を表わす。図４において、実線のカーブは周波数ＦＭＡＸにおける信号ＶＯＵＴの変化を表わし、破線のカーブは周波数ＦＭＩＮにおける信号ＶＯＵＴの変化を表わす。ＶＯＵＴを両方の周波数ＦＭＩＮ及びＦＭＡＸ及において測定することにより、測定された行の抵抗Ｒｉａに関する情報が得られ、それはその行の接触点の位置決定を可能にする。この測定は必ずしも非常に正確である必要はない。しかしながら、それで十分である。実際に、既に見られたように、「自己容量」タイプの検出の主な問題はゴーストの出現である。２つの異なる周波数における二重の測定により、例え近似的であってもタッチの位置を知ると、本当のタッチの対と「ゴースト」タッチの対との間の不確定性は取り除かれる。
【００３６】
本発明による装置は、この二重周波数の容量測定原理を実行できるようにする手段を含む。制限されない一例として、図５は本発明による投影型容量検出を用いた、タッチパッド装置１を表わす。それは基本的に：
―互いに平行な導電性の行１１の第一組を含む第一の基板と、互いに平行な導電性の列１２の第二組を含む第二の基板とを備えたタッチパッド１０と、
―タッチセンサー式装置の動作に必要な、様々な送信信号及び受信信号を制御し、解析する手段２０と、
―デジタル−アナログ変換器“ＤＡＣ”３１、増幅器３２、及び注入静電容量３３を経由して、交流電圧ＶＩＮでタッチパッドに給電する、可変周波数の正弦波高周波数発生器３０であって、一般にその周波数が数百ｋＨｚ〜数ＭＨｚの間である周波数発生器と、
―マルチプレクサ４０であって、それが入力電圧ＶＩＮを連続的にタッチパッド１０の各列１２と、次に各行１１に加え、各々の対応する出力信号ＶＯＵＴを、電子処理装置５０に加えられる電圧ＶＩＮに差し向けるマルチプレクサと、
―「バッファ」メモリ５１、アナログ−デジタル変換器もしくはＡＤＣ５２、周波数発生器３０につながれた同期復調器５３、及びフィルタリングされた信号が解析手段２０に送られる、電子フィルタリング手段５４とを含む、電子処理装置５０と、
―解析手段２０により処理された信号を、それが一般的にタッチパッドと結合されて、制御され、修正され、又は検証されるべき情報を表示する表示装置である、外部へと再送信することを確実にする、送受信手段６０又は“Ｕｎｉｖｅｒｓａｌ
Ａｓｙｎｃｈｒｏｎｏｕｓ  Ｒｅｃｅｉｖｅｒ  Ｔｒａｎｓｍｉｔｔｅｒ”（「万能非同期送受信機」）を表わす“ＵＡＲＴ”とを備える。
【００３７】
本装置は次のように動作する。公称モードにおいて、パッドの行と列は、第一の動作周波数ＦＭＩＮ及び第二のいわゆる識別周波数ＦＭＡＸにおいて、入力電圧ＶＩＮにより永続的及び連続的に走査される。この電圧は手段３０、３１、３２、及び３３から成る電子組立品により生成される。
【００３８】
図５において指によって象徴的に表わされているタッチの際、及びこのタッチの位置に従って、一定の静電容量が接触点とアースとの間に作り出され、この静電容量は主として行と列の抵抗により、マルチプレクサ４０につながれる。
【００３９】
この抵抗成分及び容量分は、システムの全体インピーダンスＺの変化を引き起こし、既に述べたように、Ｚ＝Ａ＋ＢｊにおいてＺ．ＶＩＮの値を有する、出力信号ＶＯＵＴに作用するであろう。出力信号ＶＯＵＴは次に同期復調器５３を用いて、そこからＺ＝Ａ＋Ｂｊ及びｊ＝ｓｉｎ（２π．Ｆ．ｔ）において、有効値ＶＯＵＴ＝Ｚ．ＶＩＮを差し引くために、電子装置５０によって復調される。同期復調は、無差別の受動フィルタリング段階の使用を回避する、高い性能指数を有する帯域通過フィルターとして作用することにより、電磁妨害“ＥＭＩ”をフィルタリングするために用いられる。
【００４０】
少なくとも２つの測定がなされ、１つは動作周波数ＦＭＩＮにおいて、もう１つは識別周波数ＦＭＡＸにおいてである。大寸法のパッドに関しては、多数の識別周波数ＦＭＡＸを用いることが可能である。有利なことに、周波数ＦＭＩＮ及びＦＭＡＸは２つの同期復調器５３を用いて別個に変調及び復調され、それは単一の測定において、タッチの位置を表わす静電容量Ｃ及び抵抗Ｒの値を得ることを可能にする。
【００４１】
最後に、復調器５３からのフィルタリングされた連続的信号は、フィルタリング手段５４によって濾過される。
【００４２】
手の接近がない場合、タッチ・コントローラは周波数ＦＭＩＮにおいてパッドの画像を永続的に実行し、休止状態におけるインピーダンスの表は、そこからスライディング平均により推定される。この画像は、そこから各交点にその状態を割り当てることが可能な偏差の表を形成するために、インピーダンスの瞬時値の表から差し引かれる。この方法は“Ｐｒｏｃｅｓｓ  ｆｏｒ  ｏｐｅｒａｔｉｎｇ  ａ  ｃａｐａｃｉｔｉｖｅ  ｔａｃｔｉｌｅ  ｋｅｙｂｏａｒｄ”（「容量性のタッチ式キーボードの動作用プロセス」）と題される、欧州特許第０５６７３６４号明細書に部分的に記述されている。
【００４３】
単純なタッチの際、その行と列の位置は、最大偏差の行信号と列信号の周りの重み付けされた重心に基づいて計算され、点の対はタッチの座標を与える。
【００４４】
複数の位置合わせされたタッチの場合、共通の行又は列は同じ方法で計算され、点の三つ組は２つのタッチの座標を与える。
【００４５】
複数の位置合わせされないタッチの場合、点の四つ組が周波数ＦＭＩＮにおいて、次に周波数ＦＭＡＸにおいて測定される。周波数の変化に続く信号の変化がゴーストの除去を決定するために用いられ、点の四つ組は異なるタッチの座標を与えることを可能にする。
【００４６】
以上のように、本発明によるタッチセンサー式装置において実施される電子手段は単純であり、投影型容量検出に伴う主要な課題、言い換えれば実在しないタッチの検出、同期検出による外部の電磁妨害に対する不感受性、純粋で高調波の無い正弦波信号の使用を通じた電子的環境から来る、妨害の無いことを効果的に解決する。
【符号の説明】
【００４７】
ＭＬＣ  マトリックス
Ｇ  実在しないタッチ
ＸＩ  列
ＸＪ  列
ＹＩ  行
ＹＪ  行
ＶＩＮ  入力電圧
ＶＯＵＴ  出力信号
Ｃｍ  結合静電容量
Ｃｉ  注入静電容量
Ｃｄ  静電容量
ＣｌＣ  静電容量
Ｃｐ  静電容量
Ｒｍ  入力抵抗
Ｒｉａ  抵抗
Ｒｉｌ  抵抗
Ｒｔ  抵抗
Ｌｉ  行
Ｃ１  第一の曲線
Ｃ２  第二の曲線
Ｃ３  第三の曲線
Ｆ  周波数
Ｚ  インピーダンス
１  タッチパッド装置
１０  タッチパッド
１１  導電性の行
１２  導電性の列
２０  電子制御手段
３０  周波数発生器
３１  デジタル−アナログ変換器
３２  増幅器
３３  注入静電容量
４０  マルチプレクサ
５０  電子処理装置
５１  バッファメモリ
５２  アナログ−デジタル変換器
５３  同期復調器
５４  電子フィルタリング手段
６０  送受信手段
【図１】
2013004102.tif 000003
【図２】
2013004102.tif 000004
【図３】
2013004102.tif 000005
【図４】
2013004102.tif 000006
【図５】
2013004102.tif 000007
【外国語明細書】
2013004102000001.pdf